(57)【要約】【課題】騒音が原因で稼働ができなくなる不都合を解消でき、使用位置の選択の自由度が高い移動式バッチャープラントを提供する。【解決手段】  移動式バッチャープラント１は、中型トラックの荷台２上に設置された粉体貯蔵装置３と、骨材貯蔵装置４と、水タンク５と、超速硬セメントと骨材と水を混合するミキシング装置６と、添加剤タンク６５と、粉体貯蔵装置３からミキシング装置６へ超速硬セメントを搬送するスクリューコンベア７と、骨材貯蔵装置４からミキシング装置６へ骨材を搬送するベルトコンベア８と、水タンク５からミキシング装置６へ水を供給する自吸式渦巻ポンプ６６と、添加剤タンク６５からミキシング装置６へ添加剤の水溶液を供給する自吸式渦巻ポンプ７１と、各装置を制御する制御装置１０を備える。ミキシング装置６に、騒音を低減する騒音低減機構が設けられている。【選択図】図１
2020142400.tif 000002
【特許請求の範囲】
【請求項１】
予め配合された粉体材料を貯蔵する粉体貯蔵装置と、
骨材を貯蔵する骨材貯蔵装置と、
水を貯蔵する水貯蔵装置と、
上記粉体材料と骨材と水を混合するミキシング装置と、
上記粉体貯蔵装置からミキシング装置へ粉体材料を搬送する粉体搬送装置と、
上記骨材貯蔵装置からミキシング装置へ骨材を搬送する骨材搬送装置と、
上記水貯蔵装置からミキシング装置へ水を供給する水供給装置と、
上記粉体貯蔵装置、骨材貯蔵装置、水貯蔵装置、ミキシング装置、粉体搬送装置、骨材搬送装置及び水供給装置の動作を制御する制御装置と、
上記粉体貯蔵装置、骨材貯蔵装置、水貯蔵装置、ミキシング装置、粉体搬送装置、骨材搬送装置、水供給装置及び制御装置のうちの少なくとも１つを支持し、車両に搭載可能に形成された支持構造と、
上記粉体貯蔵装置、骨材貯蔵装置、水貯蔵装置、ミキシング装置、粉体搬送装置、骨材搬送装置、水供給装置、制御装置及び支持構造のうちの少なくとも１つから発生する騒音を低減する騒音低減機構と
を備えることを特徴とする移動式バッチャープラント。
【請求項２】
請求項１に記載の移動式バッチャープラントにおいて、
上記ミキシング装置は、概ね円筒形状の混合槽と、この混合槽内で回転駆動されるブレードを有し、
上記ブレードに設けられ、可撓性材料で形成されて上記混合槽の底面又は内側面に常に接触して摺動する摺動部材により、上記騒音低減機構が構成されていることを特徴とする移動式バッチャープラント。
【請求項３】
請求項２に記載の移動式バッチャープラントにおいて、
上記ブレードの上記混合槽の底面に対応する位置に設置され、上記混合槽の底面に常に接触する底面摺動部材と、上記ブレードの上記混合槽の内側面に対応する位置に設置され、上記混合槽の内側面に常に接触する側面摺動部材を有することを特徴とする移動式バッチャープラント。
【請求項４】
請求項２に記載の移動式バッチャープラントにおいて、
上記ミキシング装置は、上記混合槽内に投入された材料の質量を測定するロードセルと、上記混合槽の姿勢を保持する姿勢保持装置を有することを特徴とする移動式バッチャープラント。
【請求項５】
請求項１に記載の移動式バッチャープラントにおいて、
上記ミキシング装置に上記粉体搬送装置で粉体材料を搬送すると共に上記水供給装置で水を供給し、このミキシング装置で粉体材料と水を混合して混合体を形成する先練工程と、
上記先練工程の後に上記骨材搬送装置で骨材を搬送し、上記混合体に骨材を追加する骨材追加工程と、
上記骨材追加工程で骨材が混合された混合体を混合する骨材混合工程と
を実行する制御装置により上記騒音低減機構が構成されていることを特徴とする移動式バッチャープラント。
【請求項６】
請求項１に記載の移動式バッチャープラントにおいて、
上記ミキシング装置は、上記混合槽内に投入された材料を、この材料の種類と配合に応じた所定の回転数で所定の回転時間だけ混合する混合運転と、この混合運転が終了した後に上記回転数よりも少ない回転数で混合するアジテート運転とを行うことを特徴とする移動式バッチャープラント。
【請求項７】
請求項１に記載の移動式バッチャープラントにおいて、
上記支持構造に立設され、少なくとも上記ミキシング装置の側面に設置された騒音低減壁により、上記騒音低減機構が構成されていることを特徴とする移動式バッチャープラント。
【請求項８】
請求項１に記載の移動式バッチャープラントにおいて、
矩形状の上記支持構造の各辺に立設された側面材と、この側面材の上端を塞ぐように設置された天井材とを有するコンテナ体により、上記騒音低減機構が構成されていることを特徴とする移動式バッチャープラント。
【請求項９】
請求項１に記載の移動式バッチャープラントにおいて、
上記粉体貯蔵装置が、上記粉体材料が袋体に梱包されてなる梱包体を受容し、上記粉体材料を貯蔵するように形成されていることを特徴とする移動式バッチャープラント。
【請求項１０】
請求項９に記載の移動式バッチャープラントにおいて、
上記粉体貯蔵装置が、上記梱包体を受容する梱包体受容部と、この梱包体受容部に受容される梱包体の袋体の底部に、上記粉体材料を取り出す取り出し口を形成する取り出し口形成部と、上記梱包体受容部に受容された梱包体を加振して上記粉体材料の排出を促進する加振部とを有することを特徴とする移動式バッチャープラント。
【請求項１１】
請求項１に記載の移動式バッチャープラントにおいて、
上記粉体搬送装置及び／又は骨材搬送装置の搬送対象の排出側に、開閉弁が設けられていることを特徴とする移動式バッチャープラント。
【請求項１２】
請求項１に記載の移動式バッチャープラントにおいて、
上記ミキシング装置内に繊維補強材を投入する繊維補強材投入装置を備えることを特徴とする移動式バッチャープラント。
【請求項１３】
請求項１２に記載の移動式バッチャープラントにおいて、
上記繊維補強材投入装置が、上記支持構造上に立設された手摺に取り付けられており、
上記手摺の上記繊維補強材投入装置よりも先端側の部分の高さが、上記支持構造が車両に搭載されたときに高さ制限以下の高さとなるように、低減可能に形成されていることを特徴とする移動式バッチャープラント。
【請求項１４】
請求項１に記載の移動式バッチャープラントにおいて、
上記ミキシング装置内に、水で希釈された添加剤を供給する添加剤供給装置を備えることを特徴とする移動式バッチャープラント。
【請求項１５】
請求項１に記載の移動式バッチャープラントにおいて、
上記制御装置は、製造するものの種類及び量に応じて上記粉体貯蔵装置、骨材貯蔵装置、水貯蔵装置、ミキシング装置、粉体搬送装置、骨材搬送装置及び水供給装置の制御に関する制御データを有することを特徴とする移動式バッチャープラント。
【請求項１６】
請求項１に記載の移動式バッチャープラントにおいて、
超速硬コンクリート、繊維補強コンクリート、普通コンクリート、モルタル又はグラウトを製造する移動式バッチャープラント。
【請求項１７】
請求項１に記載の移動式バッチャープラントにおいて、
上記支持構造が搭載される車両は、中型トラックであることを特徴とする移動式バッチャープラント。
【発明の詳細な説明】
【技術分野】
【０００１】
本発明は、例えば生コンクリートを製造するために使用され、トラック等に搭載されて移動可能な移動式バッチャープラントに関する。
【背景技術】
【０００２】
最近、高度経済成長期に整備された橋梁や道路等のインフラは老朽化が進みつつあり、補修や保全等の老朽化対策が求められている。
【０００３】
例えば、都市高速道路では、高架橋の床版に生じるひび割れ、陥没及び腐食や、桁材に生じるひび割れや腐食等のような、補修が必要な損傷が増加しつつある。コンクリート床版のひび割れや陥没を補修する場合、対象の区間における車両の通行を規制し、数か所から数十か所の補修箇所で、充填材の充填や埋め戻し等の補修作業を行う。このような補修では生コンクリートが用いられるが、補修に使用する生コンクリートの量は、１箇所につき１ｍ３以下である場合が多い。また、補修の対象であるひび割れや陥没の大きさや位置等に応じて、最適な生コンクリートの配合が異なる場合が多い。また、道路の通行規制の都合上、夜間や休日に生コンクリートの搬入が必要となる場合が多い。一般的に生コンクリートは、生コンクリートの製造プラントを備える生コンクリート工場で製造され、ミキサートラックに荷積みされ、攪拌されながら打設の現場へ搬送される。
【０００４】
しかしながら、生コンクリート工場は、発注を受ける条件として１ｍ３程度の受注下限量を設定している場合が多い。また、出荷する生コンクリートの量が少ない場合は品質保証を行わない場合がある。また、特殊な配合や、夜間や早朝の出荷には割増料金が適用される場合が多い。これらの事情から、補修用の生コンクリートを生コンクリート工場に発注するのは、現実的ではない。
【０００５】
ところで、道路の補修工事では、通行規制を早期に解除するため、超速硬コンクリートのような硬化時間の短い生コンクリートを用いることがある。超速硬コンクリートは、混錬から硬化までの時間が極めて短いので、打設現場でコンクリートを練る現場練りを行う必要がある。このような現場練りが可能な生コンクリートの製造プラントとして、車両のフレームに軸支された箱状のベッセル内に、粗骨材と細骨材と速硬性セメントが夫々収容される複数の室を有し、コンクリートの混錬前の材料を収容して現地に移動可能に形成された移動式プラントが開示されている（特許文献１参照）。
【０００６】
この移動式プラントは、ベッセルの後側の底部に、幅方向に延在して配列された複数のスクリューコンベアやフィーダで形成され、各室から導かれた材料を攪拌しながら後側へ搬送する搬送混合攪拌装置を備える。搬送混合攪拌装置の後側には、この搬送混合攪拌装置から導かれた粗骨材、細骨材及びセメントに水と混和剤を添加して混錬する混錬装置が連結されている。
【０００７】
上記混錬装置は、ベッセルの後端の下部に揺動自在に連結されており、作動時に、ベッセルの下端から後方に延出するように設置される。この混錬装置は、前後方向に長い扁平の箱状のケーシングの内側に、幅方向に延在して原動機によって駆動される混錬軸が、前後方向に五列配列されている。これらの混錬軸には、屈曲した棒部材で形成されたフック状のブレードと、混錬軸に対して傾斜して取り付けられた複数の板状の掻寄せ混合ブレードが固定されている。このように構成された混錬装置は、回転駆動される上記フック状のブレードと、上記板状の掻寄せ混合ブレードにより、ケーシング内のコンクリートの材料と水と混和剤を、幅方向と後方へ移動させながら攪拌して混合する。この混錬装置で粗骨材と細骨材と速硬性セメントと水と混和剤が混合されて製造された超速硬の生コンクリートは、ケーシングの後端に設けられた搬出口から排出される。
【０００８】
上記生コンクリートの製造設備の混錬装置は、作動時にベッセルの後方に延出したとき、水と混和剤の供給管を内部に挿通可能とするため、ケーシングの上面に開口が設けられている。
【０００９】
また、上記生コンクリートの製造設備は、速硬性セメントを収容するセメント室がベッセルの後部に形成されており、このセメント室の天井部に、速硬性セメントを投入するためのマンホールが設けられている。
【先行技術文献】
【特許文献】
【００１０】
【特許文献１】特開昭５６−９９６１６号公報
【発明の概要】
【発明が解決しようとする課題】
【００１１】
しかしながら、上記従来の移動式プラントは、ベッセルの後方に配置された混錬装置が、開口を有するケーシング内に、原動機で駆動される混錬軸が配置されているので、混錬軸が駆動される際の騒音が、開口を通じて周囲に発散する問題がある。特に、コンクリートの材料である骨材がケーシングとブレードとの間に噛み込まれて発生する金切り音は、大きな騒音となる。移動式プラントは、コンクリートの打設位置の近くに設置されて稼働する必要があるため、コンクリートの打設現場が住宅地や病院や教育機関等に接近していると、騒音が原因で稼働が許されず、工事を遂行できなくなる恐れがある。すなわち、この移動式プラントは、移動式でありながら、移動先でコンクリートの製造ができない場合があり、使用する位置の選択の自由度が低いという問題がある。
【００１２】
また、上記従来の移動式プラントは、速硬性セメントを投入する場合、ベッセルの後部の天井に設けられた蓋を外してマンホールを開け、このマンホールから速硬性セメントをセメント室内に投入する。このとき、粉体である速硬性セメントが飛散し、周辺の環境を汚染する恐れがある。
【００１３】
そこで、本発明の課題は、騒音が原因で稼働ができなくなる不都合を解消でき、使用位置の選択の自由度が高い移動式バッチャープラントを提供することにある。また、粉体の飛散を防止できて、環境に与える影響の少ない移動式バッチャープラントを提供することにある。
【課題を解決するための手段】
【００１４】
上記課題を解決するため、本発明の移動式バッチャープラントは、予め配合された粉体材料を貯蔵する粉体貯蔵装置と、
骨材を貯蔵する骨材貯蔵装置と、
水を貯蔵する水貯蔵装置と、
上記粉体材料と骨材と水を混合するミキシング装置と、
上記粉体貯蔵装置からミキシング装置へ粉体材料を搬送する粉体搬送装置と、
上記骨材貯蔵装置からミキシング装置へ骨材を搬送する骨材搬送装置と、
上記水貯蔵装置からミキシング装置へ水を供給する水供給装置と、
上記粉体貯蔵装置、骨材貯蔵装置、水貯蔵装置、ミキシング装置、粉体搬送装置、骨材搬送装置及び水供給装置の動作を制御する制御装置と、
上記粉体貯蔵装置、骨材貯蔵装置、水貯蔵装置、ミキシング装置、粉体搬送装置、骨材搬送装置、水供給装置及び制御装置のうちの少なくとも１つを支持し、車両に搭載可能に形成された支持構造と、
上記粉体貯蔵装置、骨材貯蔵装置、水貯蔵装置、ミキシング装置、粉体搬送装置、骨材搬送装置、水供給装置、制御装置及び支持構造のうちの少なくとも１つから発生する騒音を低減する騒音低減機構と
を備えることを特徴としている。
【００１５】
上記構成によれば、予め配合されて粉体貯蔵装置に貯蔵された粉体材料が、制御装置による制御の下、粉体搬送装置でミキシング装置へ搬送される。また、骨材貯蔵装置に貯蔵された骨材が、制御装置による制御の下、骨材搬送装置でミキシング装置へ搬送される。また、水貯蔵装置に貯蔵された水が、制御装置による制御の下、水供給装置でミキシング装置へ搬送される。ミキシング装置により、制御装置の制御の下、上記粉体材料と骨材と水が混合される。これにより、超速硬コンクリートや、普通コンクリートや、モルタルや、グラウト等が製造される。製造された超速硬コンクリート等は、ミキシング装置から排出され、所定の打設位置に打設される。本発明の移動式バッチャープラントによれば、騒音低減機構により、粉体貯蔵装置、骨材貯蔵装置、水貯蔵装置、ミキシング装置、粉体搬送装置、骨材搬送装置、水供給装置、制御装置及び支持構造のうちの少なくとも１つから発生する騒音が低減されるので、稼働時の騒音が効果的に低減される。したがって、この移動式バッチャープラントは、例えば住宅地や病院や教育機関等に接近した位置であって、騒音の防止が求められる位置で、問題無く稼働することができる。その結果、使用する位置の選択の自由度が高く、稼働効率を高めることができる。
【００１６】
一実施形態の移動式バッチャープラントは、上記ミキシング装置は、概ね円筒形状の混合槽と、この混合槽内で回転駆動されるブレードを有し、
上記ブレードに設けられ、可撓性材料で形成されて上記混合槽の底面又は内側面に常に接触して摺動する摺動部材により、上記騒音低減機構が構成されている。
【００１７】
上記実施形態によれば、ミキシング装置は、概ね円筒形状の混合槽内に、粉体材料と骨材と水が投入される。これらの粉体材料と骨材と水が、上記混合槽内で回転駆動されるブレードにより混合される。ここで、上記ブレードに、可撓性材料で形成されて上記混合槽の底面又は内側面に常に接触して摺動する摺動部材が設けられているので、ブレードの駆動時に、ブレードと混合槽との間に隙間が形成され難くなる。これにより、ブレードと混合槽との間に骨材の噛み込みが発生する不都合が効果的に防止される。その結果、ブレードと混合槽との間の骨材の噛み込みにより発生する金切り音が、効果的に防止される。このようにして、上記摺動部材により騒音低減機構が構成されることにより、ミキシング装置に起因する騒音が効果的に防止される。
【００１８】
一実施形態の移動式バッチャープラントは、上記ブレードの上記混合槽の底面に対応する位置に設置され、上記混合槽の底面に常に接触する底面摺動部材と、上記ブレードの上記混合槽の内側面に対応する位置に設置され、上記混合槽の内側面に常に接触する側面摺動部材を有する。
【００１９】
上記実施形態によれば、ブレードの混合槽の底面に対応する位置に設置された底面摺動部材が、混合槽の底面に常に接触することにより、ブレードが駆動される際にブレードと混合槽の底面との間に隙間が形成され難くなる。また、ブレードの混合槽の内側面に対応する位置に設置された側面摺動部材が、混合槽の内側面に常に接触することにより、ブレードが駆動される際にブレードと混合槽の内側面との間に隙間が形成され難くなる。これにより、ブレードと、混合槽の底面及び内側面との間に骨材の噛み込みが発生する不都合が効果的に防止され、骨材の噛み込みにより発生する金切り音が効果的に防止される。
【００２０】
一実施形態の移動式バッチャープラントは、上記ミキシング装置は、上記混合槽内に投入された材料の質量を測定するロードセルと、上記混合槽の姿勢を保持する姿勢保持装置を有する。
【００２１】
上記実施形態によれば、ミキシング装置は、姿勢保持装置により混合槽の姿勢が保持されるので、このミキシング装置の混合槽内に投入された材料の質量を、ロードセルで高精度に測定することができる。
【００２２】
一実施形態の移動式バッチャープラントは、上記ミキシング装置に上記粉体搬送装置で粉体材料を搬送すると共に上記水供給装置で水を供給し、このミキシング装置で粉体材料と水を混合して混合体を形成する先練工程と、
上記先練工程の後に上記骨材搬送装置で骨材を搬送し、上記混合体に骨材を追加する骨材追加工程と、
上記骨材追加工程で追加された骨材と混合体を混合する骨材混合工程と
を実行する制御装置により上記騒音低減機構が構成されている。
【００２３】
上記実施形態によれば、制御装置による制御の下、先練工程が実行され、ミキシング装置に粉体搬送装置で粉体材料が搬送されると共に水供給装置で水が供給され、このミキシング装置で粉体材料と水が混合されて混合体が形成される。この先練工程の後に、骨材追加工程が実行され、骨材搬送装置で骨材が搬送され、上記混合体に骨材が追加される。引き続いて、骨材混合工程が実行され、上記骨材追加工程で追加された骨材と混合体が混合される。このように、ミキシング装置で混合体を形成し、この後に混合体に骨材を追加するので、骨材の投入に伴う騒音を、混合体により低減することができる。さらに、混合体を形成した後に骨材を追加し、この追加された骨材と混合体が混合されるので、骨材を先に投入し、この後に粉体材料や水を追加して混合を行うよりも、混合に伴う騒音を効果的に低減できる。このようにして、上記先練工程と、上記骨材追加工程と、上記骨材混合工程とを実行するように制御を行う制御装置が、移動式バッチャープラントの騒音を効果的に低減して、騒音低減機構として機能する。
【００２４】
一実施形態の移動式バッチャープラントは、上記ミキシング装置が、上記混合槽内に投入された材料を、この材料の種類と配合に応じた所定の回転数で所定の回転時間だけ混合する混合運転と、この混合運転が終了した後に上記回転数よりも少ない回転数で混合するアジテート運転とを行う。
【００２５】
上記実施形態によれば、ミキシング装置の混合運転では、混合槽内に投入された材料の種類と配合に応じて、所定の回転数で所定の回転時間だけ混合を行うことにより、例えば超速硬コンクリート、普通コンクリート、モルタル及びグラウト等が適切に作製される。この混合運転が終了した後のアジテート運転で、上記材料を上記回転数よりも少ない回転数で混合することにより、作製された生コンクリート等を打設するまでの間に流動性を確保することができる。
【００２６】
一実施形態の移動式バッチャープラントは、上記支持構造に立設され、少なくとも上記ミキシング装置の側方に設置された騒音低減壁により、上記騒音低減機構が構成されている。
【００２７】
上記実施形態によれば、支持構造に立設され、少なくともミキシング装置の側方に設置された騒音低減壁で構成された騒音低減機構により、移動式バッチャープラントの騒音を効果的に低減することができる。
【００２８】
一実施形態の移動式バッチャープラントは、矩形状の上記支持構造の各辺に立設された側面材と、この側面材の上端を塞ぐように設置された天井材とを有するコンテナ体により、上記騒音低減機構が構成されている。
【００２９】
上記実施形態によれば、騒音低減機構が、矩形状の支持構造の各辺に立設された側面材と、この側面材の上端を塞ぐように設置された天井材とを有するコンテナ体で形成され、移動式バッチャープラントを構成する装置を上記コンテナ体内に収容する。これにより、効果的に移動式バッチャープラントの騒音を低減することができる。
【００３０】
一実施形態の移動式バッチャープラントは、上記粉体貯蔵装置が、上記粉体材料が袋体に梱包されてなる梱包体を受容し、上記粉体材料を貯蔵するように形成されている
【００３１】
上記実施形態によれば、粉体貯蔵装置が、粉体材料が袋体に梱包されてなる梱包体を受容して粉体材料を貯蔵するように形成されているので、粉体材料を粉体貯蔵装置に投入する際に粉体材料が飛散することが無い。したがって、移動式バッチャープラントの周辺の環境が粉体材料で汚染する不都合を、効果的に防止できる。
【００３２】
一実施形態の移動式バッチャープラントは、上記粉体貯蔵装置が、上記梱包体を受容する梱包体受容部と、この梱包体受容部に受容される梱包体の袋体の底部に、上記粉体材料を取り出す取り出し口を形成する取り出し口形成部と、上記梱包体受容部に受容された梱包体を加振して上記粉体材料の排出を促進する加振部とを有する。
【００３３】
上記実施形態によれば、粉体材料が袋体に梱包されてなる梱包体が、粉体貯蔵装置の梱包体受容部に受容される。梱包体受容部に受容される梱包体は、取り出し口形成部により、梱包体の袋体の底部に粉体材料を取り出す取り出し口が形成される。梱包体受容部に受容された梱包体は、加振部で加振されて粉体材料の排出が促進される。したがって、梱包体を粉体貯蔵装置に投入することにより、粉体材料を周囲に飛散させることなく、効率的に粉体材料を梱包体から取り出して利用することができる。
【００３４】
一実施形態の移動式バッチャープラントは、上記粉体搬送装置及び／又は骨材搬送装置の搬送対象の排出側に、開閉弁が設けられている。
【００３５】
上記実施形態によれば、粉体搬送装置及び／又は骨材搬送装置が搬送対象を搬送しないとき、搬送対象の排出側に設けられた開閉弁を閉じることにより、粉体搬送装置に残留した粉体材料や、骨材搬送装置に残留した骨材が、ミキシング装置に投入される不都合を防止できる。したがって、過剰な粉体材料や骨材がミキシング装置に投入されて粉体材料と水と骨材の配合が適正値から逸脱する不都合を、効果的に防止できる。また、残留した粉体材料や骨材が周囲に飛散して周辺の環境を汚染する不都合を、効果的に防止できる。ここで、開閉弁としては、バタフライ弁を用いることができる。また、開閉弁は、粉体搬送装置及び／又は骨材搬送装置の搬送対象の排出口に設けてもよく、ミキシング装置の粉体搬送装置及び／又は骨材搬送装置から搬送対象が投入される投入口に設けてもよい。
【００３６】
一実施形態の移動式バッチャープラントは、上記ミキシング装置内に繊維補強材を投入する繊維補強材投入装置を備える。
【００３７】
上記実施形態によれば、繊維補強材投入装置でミキシング装置内に繊維補強材を投入することにより、例えば繊維補強コンクリート等の特殊なコンクリートを製造することができる。
【００３８】
一実施形態の移動式バッチャープラントは、上記繊維補強材投入装置が、上記支持構造上に立設された手摺に取り付けられており、
上記手摺の上記繊維補強材投入装置よりも先端側の部分の高さが、上記支持構造が車両に搭載されたときに高さ制限以下の高さとなるように、低減可能に形成されている。
【００３９】
上記実施形態によれば、支持構造上に立設された手摺に取り付けられた繊維補強材投入装置により、繊維補強材をミキシング装置へ滞りなく投入することができる。また、手摺の上記繊維補強材投入装置よりも先端側の部分の高さを低減することにより、支持構造が車両に搭載されたときに、手摺の高さが、高さ制限以下となる。したがって、移動式バッチャープラントを搭載した車両が、高さ制限に抵触することなく、公道を問題無く通行することができる。ここで、手摺の先端側の部分は、蝶番によって折り畳み可能とされることにより高さが低減可能であってもよく、また、支柱がテレスコ状に形成されることにより高さが低減可能であってもよい。
【００４０】
一実施形態の移動式バッチャープラントは、上記ミキシング装置内に、水で希釈された添加剤を供給する添加剤供給装置を備える。
【００４１】
上記実施形態によれば、添加剤供給装置により、水で希釈された添加剤がミキシング装置内に供給される。この添加剤供給装置は、水で希釈された添加剤を供給するので、供給する添加剤の量が少なくても、添加剤の供給量の誤差を抑制することができる。添加剤をミキシング装置内に供給する際に発生する供給量の誤差は、例えば、搬送通路の内側面への付着及び液溜まりや、気泡に起因する流量計の測定誤差等により発生する。水で希釈された添加剤は、希釈されない添加剤よりも量が多く、添加剤によっては添加剤よりも粘性が低いので、上述の供給量の誤差の発生を効果的に抑制することができる。ここで、水で希釈された添加剤をミキシング装置内に供給する場合、希釈した水の量と、水供給装置で供給する水の量が、粉体材料に対応して供給すべき水の量となるように調整する。また、添加剤は、超速硬コンクリートや、普通コンクリートや、モルタルや、グラウト等を製造する際に添加される種々の薬剤であり、例えば減水剤や流動化剤や凝結遅延剤や凝固促進剤等が該当する。ここで、添加剤としては、いわゆる混和剤が包含される。
【００４２】
一実施形態の移動式バッチャープラントは、上記制御装置は、製造するものの種類及び量に応じて上記粉体貯蔵装置、骨材貯蔵装置、水貯蔵装置、ミキシング装置、粉体搬送装置、骨材搬送装置及び水供給装置の制御に関する制御データを有する。
【００４３】
上記実施形態によれば、製造するものの種類及び量が特定されれば、これらに応じた制御データに基づいて、制御装置によって粉体貯蔵装置、骨材貯蔵装置、水貯蔵装置、ミキシング装置、粉体搬送装置、骨材搬送装置及び水供給装置が制御される。したがって、操作者は、製造するものの種類及び量を制御装置に入力すれば、この入力内容に応じて適切に各装置が制御されて、自動的に超速硬コンクリートや、普通コンクリートや、モルタルや、グラウト等が製造される。したがって、操作者の技量や経験等に基づくことなく、安定した品質の超速硬コンクリート等が得られる。ここで、制御データは、制御装置が有する記憶装置に格納してもよく、移動式バッチャープラントと分離したサーバ等に格納してもよい。
【００４４】
一実施形態の移動式バッチャープラントは、超速硬コンクリート、繊維補強コンクリート、普通コンクリート、モルタル又はグラウトを製造するものである。
【００４５】
上記実施形態によれば、超速硬コンクリート、繊維補強コンクリート、普通コンクリート、モルタル又はグラウトを、使用する位置の近傍で製造することができるので、少量でありながら品質の安定した製品を提供できる。また、特に超速硬コンクリートの場合は、打設位置の近傍で製造できるので、硬化までの時間の余裕を十分に持って、打設作業を行うことができる。
【００４６】
一実施形態の移動式バッチャープラントは、上記支持構造が搭載される車両は、中型トラックである。
【００４７】
上記実施形態によれば、支持構造が中型トラックに搭載されることにより、移動式バッチャープラントを、比較的狭い道路であっても通行して移動させることができる。したがって、移動式バッチャープラントを、使用が望まれる位置に高い自由度で移動して設置することができる。
【図面の簡単な説明】
【００４８】
【図１】本発明の実施形態の移動式バッチャープラントが搭載された車両を示す側面図である。
【図２】実施形態の移動式バッチャープラントが搭載された車両の荷台部分を示す平面図である。
【図３】実施形態の移動式バッチャープラントを示す側面図である。
【図４】移動式バッチャープラントを模式的に示すブロック図である。
【図５】ミキシング装置の内部を示す縦断面図である。
【図６】ミキシング装置の内部を示す平断面図である。
【図７】底面ブレードを示す正面図である。
【図８】底面ブレードの構成を示す分解正面図である。
【図９】側面ブレードを示す正面図である。
【図１０】側面ブレードの構成を示す分解正面図である。
【図１１】ミキシング装置の支持部分を示す正面図である。
【図１２】繊維補強材投入装置を示す側面図である。
【図１３】変形例の粉体貯蔵装置を示す斜視図である。
【発明を実施するための形態】
【００４９】
以下、本発明の実施形態を、添付の図面を参照しながら詳細に説明する。
【００５０】
図１は、本発明の実施形態の移動式バッチャープラントが搭載された車両を示す側面図であり、図２は、実施形態の移動式バッチャープラントが搭載された車両の荷台部分を示す平面図であり、図３は、実施形態の移動式バッチャープラントを示す側面図であり、図４は、移動式バッチャープラントを模式的に示すブロック図である。
【００５１】
実施形態の移動式バッチャープラント１は、車両としての中型トラックに搭載され、超速硬コンクリートを打設位置の近傍で製造するものである。本実施形態では、移動式バッチャープラント１を、道路に関連する構造や設備の補修のために用いる。例えば、道路の舗装、床版及び高欄等に生じた欠損、穴及びひび割れを補修するため、所定の補修対象の近傍で、移動式バッチャープラント１で超速硬コンクリートを製造する。移動式バッチャープラント１で製造した超速硬コンクリートは、中型トラックが道路を走行することにより、他の補修対象に順次配達される。
【００５２】
この移動式バッチャープラント１は、中型トラックの荷台２上に設置されており、予め配合された粉体材料としての超速硬セメント及び細骨材を貯蔵する粉体貯蔵装置３と、骨材を貯蔵する骨材貯蔵装置４と、水を貯蔵する水貯蔵装置としての水タンク５と、上記超速硬セメントと骨材と水を混合するミキシング装置６と、添加剤の水溶液を貯蔵する添加剤貯蔵装置としての添加剤タンク６５を備える。また、上記粉体貯蔵装置３からミキシング装置６へ超速硬セメントを搬送する粉体搬送装置としてのスクリューコンベア７と、上記骨材貯蔵装置４からミキシング装置６へ骨材を搬送する骨材搬送装置としてのベルトコンベア８と、水タンク５からミキシング装置６へ水を供給する水供給装置としての自吸式渦巻ポンプ６６を備える。また、添加剤タンク６５からミキシング装置６へ添加剤の水溶液を供給する添加剤供給装置としての自吸式渦巻ポンプ７１を備える。さらに、移動式バッチャープラント１は、上記粉体貯蔵装置３と、上記骨材貯蔵装置４と、上記水タンク５と、上記ミキシング装置６と、上記スクリューコンベア７と、上記ベルトコンベア８と、上記自吸式渦巻ポンプ６６，７１との動作を制御する制御装置１０を備える。この移動式バッチャープラント１は、上記粉体貯蔵装置３と、上記骨材貯蔵装置４と、上記水タンク５と、上記ミキシング装置６と、上記スクリューコンベア７と、上記ベルトコンベア８と、上記自吸式渦巻ポンプ６６，７１と、上記制御装置１０を支持する支持構造としての支持フレーム１２を備え、この支持フレーム１２によって中型トラックの荷台２に搭載可能に形成されている。中型トラックの荷台２には、移動式バッチャープラント１に電力を供給する発電機１１が搭載されている。この移動式バッチャープラント１は、上記ミキシング装置６に、騒音を低減する騒音低減機構が設けられている。
【００５３】
粉体貯蔵装置３は、平面方向の断面積が下方に向かうにつれて縮小するように形成されて超速硬セメントを貯蔵するホッパを有し、このホッパの下端がスクリューコンベア７に連結されている。上記ホッパの下部には、ホッパ内の超速硬セメントを振動によってスクリューコンベア７へ送り出す電磁ノッカが設けられている。電磁ノッカは制御装置１０により動作が制御される。ホッパは密閉可能に形成され、天井部に、超速硬セメントをホッパ内へ投入するための開口と、この開口を開閉する開閉扉３ａが設けられている。
【００５４】
骨材貯蔵装置４は、平面方向の断面積が下方に向かうにつれて縮小するように形成されて骨材を貯蔵するホッパを有し、このホッパの下端がベルトコンベア８に連結されている。上記ホッパの下部には、ホッパ内の骨材を振動によってベルトコンベア８へ送り出す電磁ノッカが設けられている。電磁ノッカは制御装置１０により動作が制御される。ホッパは密閉可能に形成され、天井部に、骨材をホッパ内へ投入するための開口と、この開口を開閉する開閉扉４ａが設けられている。骨材貯蔵装置４に投入される骨材は、多くの場合、粗骨材である。
【００５５】
水タンク５は内部の水位を測定する水位計を有し、水タンク５はからミキシング装置６へ連なる給水管に、自吸式渦巻ポンプ６６と流量計６７と開閉弁６８が介設されている。水位計、自吸式渦巻ポンプ６６、流量計６７及び開閉弁６８は制御装置１０に接続されており、制御装置１０の制御の下、自吸式渦巻ポンプ６６によって水タンク５からミキシング装置６へ所定量の水が供給される。
【００５６】
添加剤タンク６５は内部の液位を測定する水位計を有し、添加剤タンク６５はからミキシング装置６へ連なる給水管に、自吸式渦巻ポンプ７１と流量計７２と開閉弁７３が介設されている。水位計、自吸式渦巻ポンプ７１、流量計７２及び開閉弁７３は制御装置１０に接続されており、制御装置１０の制御の下、自吸式渦巻ポンプ７１によって添加剤タンク６５からミキシング装置６へ所定量の添加剤の水溶液が供給される。添加剤タンク６５には、超速硬コンクリートに添加する添加剤としての凝結遅延剤や減水剤等の水溶液が貯蔵される。なお、添加剤タンク６５には、ミキシング装置６で混合すべき他の添加剤の水溶液を貯蔵してもよい。また、水位計、自吸式渦巻ポンプ７１、流量計７２及び開閉弁７３は、複数の添加剤に対応して複数組を設置してもよい。
【００５７】
ミキシング装置６は、蓋を有して内部が密閉される円筒形の混合槽と、この混合槽内で回転駆動され、超速硬セメントと骨材と水を混合させるブレードを有する。ブレードは、後に詳述するように、混合槽内で回転駆動されると共に、騒音低減機構を有する。ミキシング装置６の蓋には、ブレードを駆動するモータ６１と、スクリューコンベア７から超速硬セメントを受け取って混合槽内に導く粉体入口１３と、ベルトコンベア８から骨材を受け取って混合槽内に導く骨材入口１５が設けられている。骨材入口１５には、開閉弁としてのバタフライ弁１４が設けられており、ベルトコンベア８の停止時にバタフライ弁１４を閉じることにより、ベルトコンベア８から過剰な骨材が混合槽内に投入されないようになっている。ミキシング装置６のモータ６１とバタフライ弁１４は、制御装置１０によって動作が制御される。また、ミキシング装置６は、後に詳述するロードセル１８と姿勢保持装置を介して支持フレーム１２に支持されている。ロードセル１８と姿勢保持装置は制御装置１０に接続されている。ミキシング装置６に投入された材料の質量がロードセル１８によって測定され、ロードセル１８の測定値が制御装置１０に入力される。また、制御装置１０の制御により、ミキシング装置６の姿勢が、姿勢保持装置によって適切に保持される。また、ミキシング装置６は、混合槽の底部に開閉可能な排出口を有し、この排出口に、混錬後のコンクリート等を排出するシュート６９が連なっている。
【００５８】
スクリューコンベア７は、粉体貯蔵装置３のホッパの下端に投入口が連結され、ミキシング装置６の粉体入口１３に排出口が連結されている。スクリューコンベア７は、密閉されたケーシング内で回転駆動されるスクリューにより、超速硬セメントを投入口から排出口へ搬送する。スクリューコンベア７を用いることにより、ミキシング装置６へ搬送して投入する超速硬セメントの量を高精度に定めることができると共に、搬送中の超速硬セメントの飛散を効果的に防止できる。また、スクリューコンベア７の排出口には、開閉弁としてのバタフライ弁１６が設けられており、スクリューコンベア７の停止時にバタフライ弁１６を閉じることにより、スクリューコンベア７から過剰な超速硬セメントが混合槽内に投入されないようになっている。スクリューコンベア７のスクリューを回転駆動するモータと、バタフライ弁１６は、制御装置１０によって動作が制御される。
【００５９】
ベルトコンベア８は、骨材貯蔵装置４のホッパの下端に投入口が連結され、ミキシング装置６の骨材入口１５に排出口が連結されている。ベルトコンベア８は、密閉されたケーシング内に、骨材を載置して搬送するコンベヤベルトと、コンベヤベルトを駆動する駆動ローラが収容されている。このような密閉型のベルトコンベアを用いることにより、搬送中の骨材の落下や、骨材に起因する騒音の拡散や、骨材に付着した粉塵の拡散を防止するようになっている。ベルトコンベア７の駆動ローラを回転駆動するモータは、制御装置１０によって動作が制御される。
【００６０】
制御装置１０は、水タンク５及び添加剤タンク６４の水位計と、自吸式渦巻ポンプ６６，７１と、流量計６７，７２と、開閉弁６８，７３に接続されており、上記水位計と流量計６７，７２の測定値に基づいて、自吸式渦巻ポンプ６６，７１と開閉弁６８，７３の動作を制御する。また、制御装置１０は、粉体貯蔵装置３及び骨材貯蔵装置４の電磁ノッカに接続されており、スクリューコンベア７及びベルトコンベア８に粉体材料と骨材を導く際に、電磁ノッカを作動させる。
【００６１】
また、制御装置１０は、ミキシング装置６のモータ６１に接続されており、粉体材料と骨材と水と添加剤の配合や外気温度等に基づいて、モータ６１の動作を制御する。また、制御装置１０は、ミキシング装置６の混合槽の排出口に設けられた開閉扉の駆動装置に接続されており、排出口の開閉を制御してコンクリート等の排出を制御する。また、制御装置１０は、骨材投入口１５のバタフライ弁１４に接続されており、ベルトコンベヤ８の動作に応じてバタフライ弁１４の開閉を制御する。また、制御装置１０は、ミキシング装置６のロードセル１８と姿勢保持装置に接続されており、ロードセル１８の測定値に基づいて粉体材料や骨材の投入質量を検知する。また、制御装置１０は、スクリューコンベア７のモータに接続されており、操作者による動作の開始指令や、ミキシング装置６の混錬時間や、ミキシング装置６への粉体材料の投入量等に基づいて、スクリューコンベア７のモータの動作を制御する。また、制御装置１０は、バタフライ弁１６に接続されており、スクリューコンベア７の動作状況に基づいて、バタフライ弁１６の開閉の動作を制御する。また、制御装置１０は、ベルトコンベア８のモータに接続されており、操作者による動作の開始指令や、ミキシング装置６の混錬時間や、ロードセル１８で測定されたミキシング装置６への骨材の投入量等に基づいて、ベルトコンベア８のモータの動作を制御する。
【００６２】
この制御装置１０は、ＣＰＵ（Central Processing Unit）と、コンピュータプログラムが格納された記憶装置を有し、記憶装置のコンピュータプログラムが読み出されてＣＰＵで実行されることにより、制御装置１０の機能が実現される。上記記憶装置は、磁気ディスクや半導体メモリ等で形成することができる。上記記憶装置には、上記コンピュータプログラムのほか、移動式バッチャープラント１で製造が可能なコンクリート、グラウト及びモルタル等に関するデータが記憶可能になっている。この制御装置１０は、操作者から各種の指令や条件等が入力される入力装置としての操作部７５と、運転状況や運転条件等が出力される出力装置を備える。上記操作部７５は、表示機能を兼ね備えた液晶タッチパネルで形成され、出力装置を兼ねている。なお、入力装置は、押しボタン、キーボード又は音声入力装置等を含んで構成されてもよい。また、出力装置は、信号ランプ、液晶表示装置又は音声出力装置等を含んで構成されてもよい。
【００６３】
この制御装置１０は、移動式バッチャープラント１で製造が可能なコンクリート、グラウト及びモルタル等に関するデータとして、これらのコンクリート等を製造するときの材料の使用量の内訳である配合に関する配合データと、これらの材料を投入して混合するときの各装置の制御に関する制御データを用いる。これらの配合データと制御データは、コンクリート等の種別に応じて、複数のパターンが予め設定されて記憶されている。これらの配合データと制御データは、制御装置１０の記憶装置に格納されてもよく、移動式バッチャープラント１とは別個に設置したサーバの記憶装置に格納されてもよい。サーバの記憶装置にデータが格納された場合は、移動式バッチャープラント１に通信装置を設け、この通信装置を介して制御装置１０がデータを受信して利用する。
【００６４】
上記配合データとしては、例えば、セメントの種類、骨材の寸法、コンクリートのスランプ、空気量、水セメント比、細骨材率、単位水量、添加剤の量等で構成されたものを用いることができる。また、上記制御データとしては、自吸式渦巻ポンプ６６，７１による流量、開閉弁６８，７３の開閉タイミング、電磁ノッカの作動タイミング、スクリューコンベア７及びベルトコンベア８による材料の搬送量、バタフライ弁１４，１６の作動タイミング、ミキシング装置６の作動タイミング及び作動時間等で構成されたものを用いることができる。
【００６５】
本実施形態の移動式バッチャープラント１でコンクリート等を製造する場合、制御装置１０の操作部７５を通して、製造するものの種別と、製造する量が、操作者によって指定される。このとき、操作部７５には、製造するものの種別として、コンクリート、グラウト及びモルタル等のいずれかを提示するメニューが表示され、操作者はメニューから製造すべき種別を選択して指定する。なお、メニューには、コンクリート等の更に詳細な種別や商品名を表示して、選択可能にしてもよい。また、操作部に、製造するコンクリート等の量の数値を提示するメニューが表示され、操作者はメニューから、製造する量の数値を選択して指定する。なお、製造するコンクリート等の量は、操作部７５に入力キーを表示し、操作者が入力キーを通じて数値を直接入力するようにしてもよい。操作部７５を通じて指定された種別と量に基づいて、制御装置１０は、記憶装置に格納された配合データと制御データのうち、適切な配合データと制御データを読み出す。読み出された配合データを操作部７５に表示すると共に、運転の実行を促す実行ボタンを表示する。操作者が実行ボタンを通じて運転の開始を指示すると、制御装置１０は、制御データに基づいて、自吸式渦巻ポンプ６６，７１、開閉弁６８，７３、電磁ノッカ、スクリューコンベア７、ベルトコンベア８、バタフライ弁１４，１６及びミキシング装置６の制御を行い、配合データに従った材料を用いて、コンクリート等を自動的に製造するようになっている。このように、操作者が操作部７５を通じてメニューを選択すれば、自動的に所望の所定量のコンクリート等を製造できるので、操作者がコンクリート等の製造に関する高度な知識や技量を有していなくても、高品質のコンクリート等を製造することができる。なお、操作部７５を通じて、コンクリート等が発揮すべき強度、スランプ、流動性、硬化時間等を指定してもよい。制御装置１０は、コンクリート等が発揮すべき強度、スランプ、流動性及び硬化時間等が指定された場合、指定された内容に応じて配合データと制御データを調整し、調整した配合データを操作部７５に表示して操作者の確認を促すと共に、操作者が確認の入力を行うと、調整した制御データに沿って各装置を制御する。
【００６６】
また、制御装置１０は、図示しない温度計に接続されている。温度計は、ミキシング装置６や水タンク５のいずれか又は両方の近傍に配置され、混錬を行う環境の温度を測定し、及び／又は、粉体材料と骨材と水の混合物の温度を推定する。制御装置１０は、温度計で測定された温度に基づいて、水の量等の配合を調整することにより、コンクリート等が所定の強度等を発現するようになっている。なお、水タンク５にヒータを設け、水を配合に適した温度に調節してもよい。
【００６７】
また、制御装置１０は、コンクリート等の製造時に採用した配合や運転内容に関するデータを、記憶装置に保存する。これにより、コンクリート等の品質保証を行うことができる。ここで、記憶装置に保存するデータとして、製造を行った種別と、材料の実際の投入量と、ミキシング装置６の混錬時間等を採用することができる。
【００６８】
図５は、ミキシング装置６の内部を示す縦断面図であり、図６は、ミキシング装置６の内部を示す平断面図である。図５及び６に示すように、ミキシング装置６は、混合槽２０内に、超速硬セメントと骨材と水を混合するための３個の底面ブレード２１と、１個の側面ブレード２２が設けられている。底面ブレード２１は、下端縁が混合槽２０の底面２０ａに接触した状態で、混合槽２０の中心軸を公転中心として遊星回転駆動される。側面ブレード２２は、側縁が混合槽２０の内側面２０ｂに接触した状態で、混合槽２０の中心軸回りに回転駆動される。
【００６９】
底面ブレード２１は、混合槽２０の上部から下部に延在する３個の第１支持棒２４の下端に夫々取り付けられている。第１支持棒２４は、混合槽２０の上部に配置されて概ね三角形状を有する連結部材２５の３個の頂点に、夫々連結されている。連結部材２５は、中心に公転回転軸２６が連結されており、この公転回転軸２６は、混合槽２０の蓋３０の近傍に配置された第１回転アーム２８の一端に枢着されている。第１回転アーム２８は、混合槽２０の円形の蓋３０の中心に設けられた回転軸２９に連結されている。回転軸２９は、蓋３０の上に配置されたモータ６１に連結されている。第１回転アーム２８内には、回転軸２９の回転力を公転回転軸２６へ伝達する遊星歯車機構が設けられている。第１回転アーム２８の他端には、公転回転軸２６と反対側の径方向に延びる第２回転アーム３１が連結されている。この第２回転アーム３１の先端に、混合槽２０内の上部から下部に向かって延びる１本の第２支持棒３２が連結されており、この第２支持棒３２に側面ブレード２２が固定されている。
【００７０】
図７は、底面ブレード２１を示す正面図であり、図８は、底面ブレード２１の構成を示す分解正面図である。
【００７１】
底面ブレード２１は、混合槽２０の底面２０ａに接触して摺動する第１攪拌摺動体２１１を、第１挟持金具２１２と第２挟持金具２１３で挟んで保持するように形成されている。第１攪拌摺動体２１１は、加硫天然ゴムで形成され、台形の下端に矩形を連ねたような６角形状を有する。この第１攪拌摺動体２１１には、第２挟持金具２１３及び第１支持棒２４に対する固定位置を調節するため、長穴で形成されたガイド穴２１１ａが形成されている。ガイド穴２１１ａは、介在金具２１４の幅よりも僅かに広い幅と、介在金具２１４の長さよりも大きい長さに形成されている。
【００７２】
第１挟持金具２１２は、第１攪拌摺動体２１１の第１支持棒２４と反対側の表面に接して配置されるものである。この第１挟持金具２１２はステンレス鋼で形成され、台形の下端に矩形を連ねたような６角形状を有すると共に、下部の両側辺と底辺が、第１攪拌摺動体２１１の両側辺と底辺よりも内側に形成されている。これにより、上端が一致するように第１挟持金具２１２を第１攪拌摺動体２１１と重ね合わせたとき、第１攪拌摺動体２１１の下部の両側と底辺の周辺部分が、第１挟持金具２１２よりも外側へ張り出すようになっている。また、第１挟持金具２１２は、第２挟持金具２１３に対する固定位置を調節するための長穴で形成されたガイド穴２１２ａが形成されている。ガイド穴２１２ａは、ボルト２１５の軸の直径よりも多少広い幅に形成されている。
【００７３】
第２挟持金具２１３は、第１攪拌摺動体２１１の第１支持棒２４側の表面に接して配置されるものである。この第２挟持金具２１３はステンレス鋼で形成され、第１支持棒２４と概ね同じ幅の矩形状を有する。この第２挟持金具２１３は、ボルト２１５が挿通される２つのボルト穴２１３ａを有する。この第２挟持金具２１３は、第１攪拌摺動体２１１に接すると共に第１支持棒２４に接して配置され、ボルト穴２１３ａに挿通されたボルト２１５により、第１挟持金具２１２と協働して第１攪拌摺動体２１１を挟持して固定すると共に、第１支持棒２４に固定される。
【００７４】
上記第１挟持金具２１２と第２挟持金具２１３の間には、第１挟持金具２１２と第２挟持金具２１３とに接する介在金具２１４が配置されている。介在金具２１４はステンレス鋼で形成され、第１攪拌摺動体２１１の厚みよりも僅かに小さい厚みを有すると共に、第１攪拌摺動体２１１のガイド穴２１１ａ内を相対移動可能な寸法に形成されている。この介在金具２１４は、ボルト２１５が挿通される２つのボルト穴２１４ａを有する。
【００７５】
上記第１挟持金具２１２と、上記ガイド穴２１１ａ内に上記介在金具２１４が挿入された第１攪拌摺動体２１１と、上記第２挟持金具２１３とがこの順に配列され、第１支持棒２４の取り付け面に第２挟持金具２１３が接するように配置される。この状態で、上記第１挟持金具２１２のガイド穴２１２ａと、上記介在金具２１４のボルト穴２１４ａと、上記第２挟持金具２１３のボルト穴２１３ａと、上記第１支持棒２４に設けられたボルト穴とにボルト２１５が挿通され、第１支持棒２４の取り付け面と反対側に突出したボルト２１５の軸にナット２１６が螺着されて、第１支持棒２４に底面ブレード２１が固定される。また、ボルト２１５及びナット２１６により、第１支持棒２４に対する底面ブレード２１の位置が固定される。
【００７６】
このように構成される底面ブレード２１は、第１攪拌摺動体２１１と第１挟持金具２１２が、長穴２１１ａ，２１２ａに沿って第１支持棒２４の延在方向に移動可能であり、これにより、混合槽２０の底面２０ａとの間の距離が調節可能になっている。ここで、第１攪拌摺動体２１１の下端が、混合槽２０の底面２０ａに接触するように第１攪拌摺動体２１１と第１挟持金具２１２の位置を調節する。これにより、底面ブレード２１が遊星回転駆動されるとき、第１攪拌摺動体２１１の下端が混合槽２０の底面２０ａに常に接触して摺動する。
【００７７】
図９は、側面ブレード２２を示す正面図であり、図１０は、側面ブレード２２の構成を示す分解正面図である。
【００７８】
側面ブレード２２は、混合槽２０の内側面２０ｂに接触して摺動する第２攪拌摺動体２２１を、第１挟持金具２２２と第２挟持金具２２３で挟んで保持するように形成されている。第２攪拌摺動体２２１は加硫天然ゴムで形成され、縦長の大きな矩形の下端部の側縁に、一方の側へ突出した小さな矩形を連ねたような形状を有する。この第２攪拌摺動体２２１は、第１挟持金具２２２及び第２挟持金具２２３に対して、幅方向と高さ方向の取り付け位置が調節可能に形成されている。
【００７９】
第１挟持金具２２２は、第２攪拌摺動体２２１の第２支持棒３２と反対側の表面に接して配置されるものである。この第１挟持金具２２２はステンレス鋼で形成され、縦長の大きな矩形の下端部の側縁に、一方の側へ突出した小さな矩形を連ねたような形状を有する。また、第１挟持金具２２２の上部と下部には、第２支持棒３２に対する固定位置を調節するための長穴で形成されたボルト穴２２２ａが夫々形成されている。ボルト穴２２２ａは、ボルト２２４の軸の直径よりも多少広い幅に形成され、第１挟持金具２２２の幅方向に延在している。
【００８０】
第２挟持金具２２３は、第２攪拌摺動体２２１の第２支持棒３２側の表面に接して配置されるものである。この第２挟持金具２２３は、第１挟持金具２２２と同様に、ステンレス鋼で形成され、縦長の大きな矩形の下端部の側縁に、一方の側へ突出した小さな矩形を連ねたような形状を有する。また、第２挟持金具２２３の上部と下部には、第１挟持金具２２２と同様に、第２支持棒３２に対する固定位置を調節するための長穴で形成されたボルト穴２２３ａが形成されている。この第２挟持金具２２３は、第２攪拌摺動体２２１に接すると共に第２支持棒３２に接して配置され、２つのボルト穴２２３ａに挿通された２つのボルト２２４により、第１挟持金具２２２と協働して第２攪拌摺動体２２１を挟持して固定すると共に、第２支持棒３２に固定される。
【００８１】
上記第１挟持金具２２２と、上記第２攪拌摺動体２２１と、上記第２挟持金具２２３とがこの順に配列され、第２支持棒３２の取り付け面に第２挟持金具２２３が接するように配置される。この状態で、上記第１挟持金具２２２のボルト穴２２２ａと、上記第２挟持金具２２３のボルト穴２２３ａと、上記第２支持棒３２に設けられたボルト穴とにボルト２２４が挿通され、第２支持棒３２の取り付け面と反対側に突出したボルト２２４の軸にナット２２５が螺着されて、第２支持棒３２に側面ブレード２２が固定される。また、ボルト２２４及びナット２２５により、第２支持棒３２に対する側面ブレード２２の位置が固定される。
【００８２】
このように構成される側面ブレード２２は、第１挟持金具２２２と第３挟持金具２２３が、長穴２２２ａ，２２３ａに沿って第２支持棒３２の幅方向に移動可能であり、これにより、混合槽２０の内側面２０ｂとの間の距離が調節可能になっている。また、第２攪拌摺動体２２１が、ボルト２２４及びナット２２５が緩められたときに第１挟持金具２２２及び第３挟持金具２２３に対して幅方向と上下方向に移動可能であり、これにより、混合槽２０の内側面２０ｂと底面２０ａとの間の距離が調節可能になっている。ここで、第２攪拌摺動体２２１の側縁が混合槽２０の内側面２０ｂに接触すると共に、第２攪拌摺動体２２１の下端が混合槽２０の底面２０ａに接触するように、第２攪拌摺動体２２１の位置を調節する。これにより、側面ブレード２２が回転軸２９回りに回転駆動されるとき、第２攪拌摺動体２２１の側縁が混合槽２０の内側面２０ｂに常に接触して摺動すると共に、第２攪拌摺動体２２１の下端が混合槽２０の底面２０ａに常に接触して摺動する。
【００８３】
このように、可撓性材料である天然ゴムで形成されて混合槽２０の底面２０ａに常に接触して摺動する第１攪拌摺動体２１１と、混合槽２０の内側面２０ｂに常に接触して摺動する第２攪拌摺動体２２１により、騒音低減機構が構成されている。底面ブレード２１の第１攪拌摺動体２１１が混合槽２０の底面２０ａに常に接触して摺動すると共に、側面ブレード２２の第２攪拌摺動体２２１が混合槽２０の内側面２０ｂに常に接触して摺動することにより、第１攪拌摺動体２１１と底面２０ａとの間と、第２攪拌摺動体２２１と内側面２０ｂとの間に隙間が形成され難くなる。これにより、ブレード２１，２２と、混合槽２０の底面２０ａ及び内側面２０ｂとの間に骨材の噛み込みが発生する不都合を効果的に防止でき、骨材の噛み込みにより発生する金切り音を効果的に防止することができる。その結果、ミキシング装置６の作動時の騒音を、大幅に低減することができる。また、ミキシング装置６で混錬が終了したとき、混合槽２０の底面２０ａ及び内側面２０ｂへのコンクリート等の付着量を効果的に少なくできるので、混合槽２０から排出するコンクリート等の残留を効果的に削減できる。
【００８４】
ここで、側面ブレード２２の第２攪拌摺動体２２１は、混合槽２０の底面２０ａに接触しなくてもよい。また、底面ブレード２１の第１攪拌摺動体２１１と、側面ブレード２２の第２攪拌摺動体２２１のうち、いずれか一方のみを設けてもよい。また、底面ブレード２１と側面ブレード２２の個数は、３個と１個に限られない。
【００８５】
図１１は、ミキシング装置６の支持フレーム１２への支持部分を示す正面図である。ミキシング装置６は、ロードセル１８と、姿勢保持装置４３を介して支持フレーム１２に支持されている。
【００８６】
ロードセル１８は、圧縮型ロードセルであり、ミキシング装置６の下部に固定された下部フレーム４１と、支持フレーム１２との間に設置されている。ミキシング装置６の下部フレーム４１と支持フレーム１２の間には、移動式バッチャープラント１の移動時等にロードセル１８への負荷を回避するための保護具１８が設置可能になっている。保護具１８は板状体で形成され、上端部と下端部がロードセル１８の上端と下端にボルト４９で夫々固定され、ロードセル１８への負荷の入力を防止している。保護具１８は、移動式バッチャープラント１の作動時は取り外される。
【００８７】
姿勢保持装置４３は、ソレノイドを用いて構成され、本体から電磁力により突出及び没入方向に駆動されるプランジャ４４を有する。姿勢保持装置４３の本体は支持フレーム１２に固定され、プランジャ４４の先端がミキシング装置６の下部フレーム４１に接触可能に形成されている。姿勢保持装置４３は、制御装置１０によって動作が制御される。ミキシング装置６の下部フレーム４１には、図示しない水準器が設置され、水準器は制御装置１０に接続されている。水準器によってミキシング装置６の傾斜が検出されると、制御装置１０によって姿勢保持装置４３が作動し、下部フレーム４１をプランジャ４４で押し上げることにより、ミキシング装置６を水平に保持するようになっている。姿勢保持装置４３でミキシング装置６を水平に保持することにより、ミキシング装置６に投入される材料のロードセル１８による計量の誤差を削減できると共に、ミキシング装置６の動作不良を効果的に防止できる。なお、姿勢保持装置４３は、下部フレーム４１と支持フレーム１２との間に複数個設置するのが好ましい。
【００８８】
本実施形態の移動式バッチャープラント１は、ミキシング装置６内に繊維補強材を投入する繊維補強材投入装置を設置することが可能である。コンクリート等を製造する際、繊維補強材投入装置で繊維補強材を添加することにより、強度の高いコンクリート等を製造することができる。繊維補強材としては、鋼繊維、炭素繊維、及び、ビニロン等の樹脂繊維を用いることができる。
【００８９】
図１２は、繊維補強材投入装置を示す側面図である。この繊維補強材投入装置８０は、繊維補強材を貯蔵する繊維補強材貯蔵装置８１と、この繊維補強材製造装置８１から繊維補強材を受容し、この繊維補強材に振動を与える受容加振装置８２と、この受容加振装置８２で振動が与えられた繊維補強材を搬送する搬送樋８３を有する。上記繊維補強材貯蔵装置８１の下部には、貯蔵する繊維補強材を排出するための開閉扉８７が設けられている。 上記搬送樋８３で搬送された繊維補強材は、漏斗状の投入具８４に投入され、この投入具８４に接続された管路８５を通して 、ミキシング装置６内に導かれるようになっている。繊維補強材投入装置８０を設けることにより、例えば繊維補強コンクリート等の特殊なコンクリートを製造することができる。
【００９０】
上記繊維補強材貯蔵装置８１は、支持フレーム１２に立設された手摺９０に取り付けられている。手摺９０の繊維補強材貯蔵装置８１よりも先端側の先端部９０ａは、矢印Ａで示すように、蝶番９２を中心に回動して折り畳み可能に形成されている。上記手摺９０の先端部９０ａが折り畳み可能に形成されていることにより、移動式バッチャープラント１がトラックに搭載されたときに、移動式バッチャープラント１の高さが高さ制限以下となるように構成されている。これにより、移動式バッチャープラント１がトラックで搬送される際に、公道を問題無く通行可能になっている。なお、上記手摺９０の先端部９０ａは、蝶番９２で折り畳み可能とすることで高さが低減可能である以外に、支柱をテレスコ状に形成することにより、高さが低減可能であってもよい。
【００９１】
次に、本実施形態の移動式バッチャープラント１を用いて、高架道路の補修を行う場合について説明する。
【００９２】
高架道路は、床版の上にアスファルト舗装やコンクリート舗装が設けられると共に、道路の延在方向に連なる床版と床版の間に継手が設けられている。また、舗装の両側に、高欄や標識が設けられている。高架道路が老朽化すると、舗装の表面や、床版の表面や、継手の周辺部分や、高欄に、ひび割れや欠損が発生する。これらのひび割れや欠損は、道路の延在方向に複数箇所に亘って発生する。これらのひび割れや欠損に、超速硬コンクリートを充填することにより補修する。ひび割れや欠損に用いられる超速硬コンクリートの量は少量であり、超速硬コンクリートは製造後に急速に硬化し、しかも、補修箇所が道路に沿って点在するため、既存のコンクリートプラントで製造した超速硬コンクリートを用いるのは困難である。そこで、本実施形態の移動式バッチャープラント１を用いることにより、補修箇所の近傍で超速硬コンクリートを製造し、打設を行う。
【００９３】
まず、移動式バッチャープラント１を中型トラックに搭載し、補修対象の道路を走行して補修箇所の近傍に移動させる。移動式バッチャープラント１は、中型トラックに搭載できるので、補修箇所が存在する車線に設定した規制区域にトラックを駐車して稼働できるため、他の車線は解放が可能である。したがって、道路を閉鎖することなく、超速硬コンクリートを製造して道路の補修が可能となる。
【００９４】
移動式バッチャープラント１を補修箇所の近傍に駐車させると、制御装置１０を通じて水準器によりミキシング装置６の姿勢を測定する。ミキシング装置６が傾斜している場合、姿勢保持装置４３によりミキシング装置６の姿勢を調整する。
【００９５】
次に、補修箇所の近傍に設置した移動式バッチャープラント１に、粉体材料、骨材、添加剤等の材料を投入する。粉体材料は、超速硬コンクリートを製造する場合、超速硬セメントと細骨材の混合物を用いる。粉体材料は、超速硬セメントと細骨材が予め定められた配合で混合されたものを用いるのが好ましい。粉体材料が梱包された梱包体を工事現場に搬入し、粉体貯蔵装置３のホッパの開閉扉３ａを開き、開口から粉体材料をホッパ内に投入する。また、骨材が梱包された梱包体を工事現場に搬入し、骨材貯蔵装置４のホッパの開閉扉４ａを開き、開口から骨材をホッパ内に投入する。添加剤は、例えば減水剤等を水で所定の濃度に薄めて、添加剤タンク６５に投入する。なお、粉体材料、骨材及び添加剤の少なくとも１つは、移動式バッチャープラント１の移動の前に投入してもよい。移動式バッチャープラント１の移動の前に、粉体材料、骨材及び添加剤の全てを投入しておくことにより、現場に到着した直後に混錬を開始し、早期に超速硬コンクリートを得ることができる。
【００９６】
続いて、制御装置１０の操作部７５に、製造する種別が超速硬コンクリートであることと、製造する量を入力する。制御装置１０が、コンクリート等の種別と製造量の入力を受けると、これらの条件に対応した配合データと制御データを記憶装置から読み出す。制御装置１０は、読み出した配合データを操作部７５に表示すと共に、運転の実行ボタンを操作部７５に表示する。
【００９７】
操作部７５に表示された実行ボタンを通じて操作者が運転の開始を指示すると、制御装置１０は、読み出した制御データに基づいて、移動式バッチャープラント１の動作を開始する。
【００９８】
まず、制御装置１０の制御の下、バタフライ弁１６を開くと共に、スクリューコンベア７の動作を開始する。これにより、スクリューコンベア７によって粉体貯蔵装置３からミキシング装置６に粉体材料が搬送されて投入される。このとき、粉体貯蔵装置３の電磁ノッカが作動され、粉体材料がホッパからスクリューコンベア７へ速やかに導かれる。粉体貯蔵装置３のホッパは密閉されており、スクリューコンベア７は密閉されたケーシング内で粉体材料を搬送し、ミキシング装置６は密閉されているので、粉体材料が粉体貯蔵装置３からミキシング装置６へ搬送される間に粉体材料が漏出して周囲の環境を汚染する不都合を、効果的に防止できる。
【００９９】
制御装置１０は、ロードセル１８からの情報により、ミキシング装置６に投入される粉体材料の質量を検出する。ミキシング装置６に、配合データに定められた量の粉体材料が投入されると、制御装置１０はスクリューコンベア７を停止すると共に、バタフライ弁１６を閉じる。これにより、スクリューコンベア７内に残留した粉体材料がミキシング装置６に投入される不都合が防止される。
【０１００】
続いて、制御装置１０の制御の下、ミキシング装置６に水が供給される。すなわち、制御装置１０は、開閉弁６８を開くと共に自吸式渦巻ポンプ６６を起動し、水タンク５からミキシング装置６に水を供給する。流量計６７の測定値により、配合データに定められた量の水がキシング装置６に供給されたことを検知すると、制御装置１０は自吸式渦巻ポンプ６６を停止すると共に開閉弁６８を閉じる。
【０１０１】
ミキシング装置６に粉体材料と水が投入されると、制御装置１０は、ミキシング装置６のモータ６１を起動して、底面ブレード２１と側面ブレード２２による混錬動作を開始する。ミキシング装置６のモータ６１が起動されると、３個の底面ブレード２１が遊星回転駆動され、側面ブレード２２が回転駆動される。ミキシング装置６により粉体材料と水の混錬が所定時間行われると、制御装置１０はモータ６１を停止し、粉体材料と水の混錬を一時停止する。
【０１０２】
ミキシング装置６による粉体材料と水の混錬が停止するすると、制御装置１０の制御の下、バタフライ弁１４を開くと共に、ベルトコンベア８の動作を開始する。これにより、ベルトコンベア８によって骨材貯蔵装置４からミキシング装置６に骨材が搬送されて投入される。このとき、骨材貯蔵装置４の電磁ノッカが作動され、骨材がホッパからベルトコンベア８へ速やかに導かれる。骨材貯蔵装置４のホッパは密閉されており、ベルトコンベア８は密閉されたケーシング内で骨材を搬送し、ミキシング装置６は密閉されているので、骨材が骨材貯蔵装置４からミキシング装置６へ搬送される間に骨材に付着した塵が漏出して周囲の環境を汚染する不都合を、効果的に防止できる。
【０１０３】
制御装置１０は、ロードセル１８からの情報により、ミキシング装置６に投入される骨材の質量を検出する。ミキシング装置６に、配合データに定められた量の骨材が投入されると、制御装置１０はベルトコンベア８を停止すると共に、バタフライ弁１４を閉じる。これにより、ベルトコンベア８内に残留した骨材がミキシング装置６に投入される不都合が防止される。
【０１０４】
また、制御装置１０は、開閉弁７３を開くと共に自吸式渦巻ポンプ７１を起動し、添加剤の水溶液を添加剤タンク６５からミキシング装置６へ供給する。ここで、制御装置１０は、ミキシング装置６へ供給する添加剤の水溶液の濃度に基づいて、先に水タンク５からミキシング装置６に供給する水の量を、配合データに定められた量の水から添加剤の水溶液に含まれる水の量を差し引いた量としておくことにより、全体として水の量が配合データに適合するようにしておく。流量計７２の測定値により、配合データに定められた量の添加剤がキシング装置６に供給されたことを検知すると、制御装置１０は自吸式渦巻ポンプ７１を停止すると共に開閉弁７３を閉じる。
【０１０５】
ミキシング装置６に所定量の添加剤と骨材が投入されると、制御装置１０は、ミキシング装置６のモータ６１を起動して、底面ブレード２１と側面ブレード２２により、粉体材料と水と添加剤と骨材との混錬を開始する。底面ブレード２１と側面ブレード２２が駆動される間、底面ブレード２１は第１攪拌摺動体２１１がミキシング装置６の混合槽２０の底面２０ａに常に接触しながら摺動し、側面ブレード２２は第２攪拌摺動体２２１が混合槽２０の内側面２０ｂに常に接触しながら摺動する。したがって、底面ブレード２１及び側面ブレード２２と、混合槽２０の底面２０ａ及び内側面２０ｂとの間の隙間が、実質的に無い状態で混錬が行われる。その結果、底面ブレード２１及び側面ブレード２２と、混合槽２０の底面２０ａ及び内側面２０ｂとの間に骨材の噛み込みが発生する不都合を効果的に防止でき、骨材の噛み込みにより発生する金切り音を効果的に防止することができる。ミキシング装置６により粉体材料と水と添加剤と骨材の混錬が所定時間行われると、制御装置１０はモータ６１を停止して混錬を終了する。
【０１０６】
このように、ミキシング装置６にスクリューコンベア７で粉体材料を投入すると共に自吸式渦巻ポンプ６６で水を供給し、このミキシング装置６で粉体材料と水を混合して混合体を形成する先練工程を行う。この先練工程の後に、ミキシング装置６にベルトコンベア８で骨材を投入し、上記混合体に骨材を追加する骨材追加工程を行う。この後、ミキシング装置６により、上記骨材追加工程で骨材が混合された混合体を混合する骨材混合工程を行う。このように、ミキシング装置６で粉体材料と水の混合体を形成した後に、骨材を追加するので、骨材の投入に伴う騒音を、混合体により低減することができる。さらに、混合体を形成した後に骨材を追加し、この骨材と混合体を混合するので、骨材を先に投入し、この後に混合を行いながら粉体材料や水を追加するよりも、混合に伴う騒音を効果的に低減できる。このようにして、上記先練工程と、上記骨材追加工程と、上記骨材混合工程とを実行するように制御を行う制御装置１０は、移動式バッチャープラント１の騒音を効果的に低減し、騒音低減機構として機能する。
【０１０７】
粉体材料と水と添加剤と骨材の混錬が終了すると、操作者が制御装置１０の操作部７５に排出を指令する入力を行う。これに応じて制御装置１０は、ミキシング装置６の底部の開閉扉を駆動して排出口を開き、シュート６９を通じて超速硬コンクリートの生コンクリートを排出する。操作部７５に、所定量の排出を指令する入力が行われると、制御装置１０は、入力された量に対応する時間だけ排出口を開き、これにより、シュート６９から所定量の超速硬コンクリートが排出される。排出された超速硬コンクリートは、道路の補修に用いられる。
【０１０８】
道路に沿って複数の補修箇所が存在する場合、最初の補修箇所の近傍で、複数箇所で用いる分量の超速硬コンクリートを製造する。最初の補修箇所に所定量の超速硬コンクリートを排出すると、操作者は、制御装置１０の操作部７５に、移動モードに移る指令を入力する。移動モードに移ると、制御装置１０は、ミキシング装置６のブレード２１，２２を、超速硬コンクリートの製造時よりも遅い回転数で回転駆動するアジテート運転を開始する。ミキシング装置６のアジテート運転を行いながら、トラックで移動式バッチャープラント１を次の補修箇所に移動させる。このように、移動式バッチャープラント１を移動する間、ミキシング装置６をアジテート運転するので、混合槽２０内の超速硬コンクリートの硬化を防ぐことができる。
【０１０９】
移動式バッチャープラント１が次の補修箇所に到着すると、操作者は、制御装置１０の操作部７５に、排出を指令する入力を行う。これにより、制御装置１０は、ミキシング装置６のアジテート運転を停止し、ミキシング装置６の排出口を開いて、シュート６９から超速硬コンクリートを排出させる。このように、アジテート運転を行いながら移動式バッチャープラント１を移動させ、複数の補修箇所に超速硬コンクリートを順次排出し、全ての補修箇所で超速硬コンクリートを用いた補修を行う。
【０１１０】
本実施形態の移動式バッチャープラント１によれば、補修箇所の近傍で超速硬コンクリートを製造し、アジテート運転を行いながら補修箇所を移動することができるので、硬化までの時間を十分に確保しながら、複数箇所に超速硬コンクリートを提供して補修を行うことが可能となる。
【０１１１】
上記実施形態において、粉体貯蔵装置３は、開閉扉３ａを開いてホッパに粉体材料を投入したが、粉体材料の梱包体を直接設置するように構成してもよい。図１３は、変形例の粉体貯蔵装置５０を示す斜視図である。変形例の粉体貯蔵装置５０は、粉体材料の梱包体を収容する筒状の収容部５１と、収容部５１の上端の開口の周りに設けられたゴム製の飛散防止リング５２と、収容部５１から上方に向かって立設された複数の支持棒５３，５３，５３と、収容部５１内の下部に設けられたカッター５５と、収容部５１の下端に連なる排出部５６を有する。この粉体貯蔵装置５０は、梱包体として、粉体材料を収容した可撓性の袋体であるフレキシブルコンテナバッグ（以下、フレコンバッグという。）５８を受け取って、粉体材料を貯蔵すると共に、排出部５６の下端に連結されたスクリューコンベア７に粉体を排出するように形成されている。この粉体貯蔵装置５０に設置されるフレコンバッグ５８は、可撓性の紐の両端がフレコンバッグ５８の表面に縫い付けられてなる複数の係合紐５９，５９を有する。この係合紐５９，５９は、支持棒５３，５３，５３に対応する位置に複数個設けられている。支持棒５３は、下端部に起振器が連結されており、起振器で発生した振動を、支持棒５３からフレコンバッグ５８内の粉体材料に伝達するように形成されている。
【０１１２】
この粉体貯蔵装置５０に粉体材料を投入する場合、粉体材料を収容したフレコンバッグ５８をトラッククレーン等で吊り上げて収容部５１の上方に配置し、この後、収容部５１内に下部が挿入されるようにフレコンバッグ５８を下降させる。このとき、フレコンバッグ５８の表面と係合紐５９，５９，５９，・・・の間に、支持棒５３，５３，５３を挿通させる。収容部５１内にフレコンバッグ５８の下部を挿入すると、カッター５５を作動させてフレコンバッグ５８に穴を開ける。なお、フレコンバッグ５８を設置するときに、フレコンバッグ５８の重みによりカッター５５で穴を開けてもよい。こうして、粉体材料を収容するフレコンバッグ５８が設置されることにより、粉体貯蔵装置５０への粉体材料の投入が完了する。
【０１１３】
この粉体貯蔵装置５０から粉体材料を搬送する場合、支持棒５３からフレコンバッグ５８内の粉体材料に振動が与えられ、これにより、フレコンバッグ５８の下端に形成された穴から粉体材料が排出される。フレコンバッグ５８から排出された粉体材料は、排出部５６を通ってスクリューコンベア７に導かれ、スクリューコンベア７によってミキシング装置６へ搬送される。
【０１１４】
変形例の粉体貯蔵装置５０によれば、粉体材料を収容したフレコンバッグ５８を配置する作業は、粉体貯蔵装置３のホッパの上部の開口から粉体材料を投入する作業よりも、低い位置で行うことができる。したがって、粉体材料の投入の作業の危険度を低減することができる。また、粉体貯蔵装置５０は、粉体材料を収容したフレコンバッグ５８を、係合紐５９を支持棒５３に係合させながら収容部５１に配置する作業により、粉体材料の投入が完了する。したがって、フレコンバッグ５８を吊り上げた状態で、フレコンバッグ５８からホッパの開口へ粉体材料を投入する作業よりも、効率的かつ容易に粉体材料の投入作業を行うことができる。また、粉体材料を収容するホッパが不要であるので、粉体貯蔵装置５０を軽量にでき、移動式バッチャープラント１の軽量化を図ることができる。また、フレコンバッグ５８の排出用の穴が収容部５１内で開けられると共に、収容部５１の上端の飛散防止リング５２がフレコンバッグ５８の周面に密着するので、粉体材料が外部に漏れる不都合を効果的に防止できる。したがって、粉体材料の飛散による環境への悪影響を効果的に防止できる。
【０１１５】
また、上記実施形態において、粉体材料として、超速硬セメントと細骨材の混合物を粉体貯蔵装置３に貯蔵し、スクリューコンベア７で搬送したが、粉体材料としての超速硬セメントと細骨材とを分けて貯蔵し、粉体材料と細骨材を別個に搬送してもよい。この場合、細骨材を貯蔵する細骨材貯蔵装置と、細骨材をミキシング装置６へ供給する細骨材供給装置とを設置すればよい。
【０１１６】
また、上記実施形態において、ミキシング装置６に、第１攪拌摺動体２１１を有する底面ブレード２１と、第２攪拌摺動体２２１を有する側面ブレード２２を設けて騒音低減機構を構成すると共に、ミキシング装置６を先練工程と、骨材追加工程と、骨材混合工程とを実行する制御装置１０により騒音低減機構を構成したが、他の騒音低減機構を採用してもよい。例えば、騒音低減機構として、少なくともミキシング装置６の側方に位置する騒音低減壁を、支持フレーム１２に立設してもよい。また、矩形状の支持フレーム１２の各辺に側面材を立設し、この側面材の上端を塞ぐように天井材を設置してコンテナ体を形成し、騒音低減機構を構成してもよい。また、ミキシング装置６に限らず、粉体貯蔵装置３、骨材貯蔵装置４、水タンク５、スクリューコンベア７、ベルトコンベア８、自吸式渦巻ポンプ６６，７１、制御装置１０、支持フレーム１２のうちの少なくとも１つから発生する騒音を低減する騒音低減機構を設けてもよい。
【０１１７】
また、上記実施形態において、道路の補修工事を行うために移動式バッチャープラント１を用いたが、本発明の移動式バッチャープラントは、他の建設工事や土木工事に広く使用できる。
【０１１８】
また、上記実施形態において、超速硬コンクリートを製造する場合について説明したが、超速硬コンクリート以外に、普通コンクリート、グラウト又はモルタル等を製造するために、本発明の移動式バッチャープラントを使用できる。
【０１１９】
本発明は、以上説明した実施形態に限定されるものではなく、多くの変形が、本発明の技術的思想内で当分野において通常の知識を有する者により可能である。
【符号の説明】
【０１２０】
１  移動式バッチャープラント
２  トラックの荷台
３  粉体貯蔵装置
４  骨材貯蔵装置
５  水タンク
６  ミキシング装置
７  スクリューコンベア
８  ベルトコンベア
１０  制御装置
１１  発電機
１２  支持フレーム
１４  バタフライ弁
１５  骨材入口
１８  ロードセル
２１  底面ブレード
２２  側面ブレード
６１  ミキシング装置のモータ
６５  添加剤タンク
６６，７１  自吸式渦巻ポンプ
６７，７２  流量計
６８，７３  開閉弁
６９  シュート
７５  制御装置の操作部
【図１】
2020142400.tif 000003
【図２】
2020142400.tif 000004
【図３】
2020142400.tif 000005
【図４】
2020142400.tif 000006
【図５】
2020142400.tif 000007
【図６】
2020142400.tif 000008
【図７】
2020142400.tif 000009
【図８】
2020142400.tif 000010
【図９】
2020142400.tif 000011
【図１０】
2020142400.tif 000012
【図１１】
2020142400.tif 000013
【図１２】
2020142400.tif 000014
【図１３】
2020142400.tif 000015
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
予め配合された粉体材料を貯蔵する粉体貯蔵装置と、
骨材を貯蔵する骨材貯蔵装置と、
水を貯蔵する水貯蔵装置と、
上記粉体材料と骨材と水を混合するミキシング装置と、
上記粉体貯蔵装置からミキシング装置へ粉体材料を搬送する粉体搬送装置と、
上記骨材貯蔵装置からミキシング装置へ骨材を搬送する骨材搬送装置と、
上記水貯蔵装置からミキシング装置へ水を供給する水供給装置と、
上記粉体貯蔵装置、骨材貯蔵装置、水貯蔵装置、ミキシング装置、粉体搬送装置、骨材搬送装置及び水供給装置の動作を制御する制御装置と、
上記粉体貯蔵装置、骨材貯蔵装置、水貯蔵装置、ミキシング装置、粉体搬送装置、骨材搬送装置、水供給装置及び制御装置のうちの少なくとも１つを支持し、車両に搭載可能に形成された支持構造と、
上記粉体貯蔵装置、骨材貯蔵装置、水貯蔵装置、ミキシング装置、粉体搬送装置、骨材搬送装置、水供給装置、制御装置及び支持構造のうちの少なくとも１つから発生する騒音を低減する騒音低減機構とを備え、
上記ミキシング装置は、概ね円筒形状の混合槽と、この混合槽内で回転駆動されるブレードを有し、
上記ブレードに設けられ、可撓性材料で形成されて上記混合槽の底面又は内側面に常に接触して摺動する摺動部材により、上記騒音低減機構が構成されており、
上記ミキシング装置は、上記混合槽内に投入された材料の質量を測定するロードセルと、上記混合槽の姿勢を保持する姿勢保持装置を有することを特徴とする移動式バッチャープラント。
【請求項２】
請求項１に記載の移動式バッチャープラントにおいて、
上記ブレードの上記混合槽の底面に対応する位置に設置され、上記混合槽の底面に常に接触する底面摺動部材と、上記ブレードの上記混合槽の内側面に対応する位置に設置され、上記混合槽の内側面に常に接触する側面摺動部材を有することを特徴とする移動式バッチャープラント。
【請求項３】
請求項１に記載の移動式バッチャープラントにおいて、
上記ミキシング装置に上記粉体搬送装置で粉体材料を搬送すると共に上記水供給装置で水を供給し、このミキシング装置で粉体材料と水を混合して混合体を形成する先練工程と、
上記先練工程の後に上記骨材搬送装置で骨材を搬送し、上記混合体に骨材を追加する骨材追加工程と、
上記骨材追加工程で骨材が混合された混合体を混合する骨材混合工程と
を実行する制御装置により上記騒音低減機構が構成されていることを特徴とする移動式バッチャープラント。
【請求項４】
請求項１に記載の移動式バッチャープラントにおいて、
上記ミキシング装置は、上記混合槽内に投入された材料を、この材料の種類と配合に応じた所定の回転数で所定の回転時間だけ混合する混合運転と、この混合運転が終了した後に上記回転数よりも少ない回転数で混合するアジテート運転とを行うことを特徴とする移動式バッチャープラント。
【請求項５】
請求項１に記載の移動式バッチャープラントにおいて、
上記支持構造に立設され、少なくとも上記ミキシング装置の側面に設置された騒音低減壁により、上記騒音低減機構が構成されていることを特徴とする移動式バッチャープラント。
【請求項６】
請求項１に記載の移動式バッチャープラントにおいて、
矩形状の上記支持構造の各辺に立設された側面材と、この側面材の上端を塞ぐように設置された天井材とを有するコンテナ体により、上記騒音低減機構が構成されていることを特徴とする移動式バッチャープラント。
【請求項７】
請求項１に記載の移動式バッチャープラントにおいて、
上記粉体貯蔵装置が、上記粉体材料が袋体に梱包されてなる梱包体を受容し、上記粉体材料を貯蔵するように形成されていることを特徴とする移動式バッチャープラント。
【請求項８】
請求項７に記載の移動式バッチャープラントにおいて、
上記粉体貯蔵装置が、上記梱包体を受容する梱包体受容部と、この梱包体受容部に受容される梱包体の袋体の底部に、上記粉体材料を取り出す取り出し口を形成する取り出し口形成部と、上記梱包体受容部に受容された梱包体を加振して上記粉体材料の排出を促進する加振部とを有することを特徴とする移動式バッチャープラント。
【請求項９】
請求項１に記載の移動式バッチャープラントにおいて、
上記粉体搬送装置及び／又は骨材搬送装置の搬送対象の排出側に、開閉弁が設けられていることを特徴とする移動式バッチャープラント。
【請求項１０】
請求項１に記載の移動式バッチャープラントにおいて、
上記ミキシング装置内に繊維補強材を投入する繊維補強材投入装置を備えることを特徴とする移動式バッチャープラント。
【請求項１１】
請求項１０に記載の移動式バッチャープラントにおいて、
上記繊維補強材投入装置が、上記支持構造上に立設された手摺に取り付けられており、
上記手摺の上記繊維補強材投入装置よりも先端側の部分の高さが、上記支持構造が車両に搭載されたときに高さ制限以下の高さとなるように、低減可能に形成されていることを特徴とする移動式バッチャープラント。
【請求項１２】
請求項１に記載の移動式バッチャープラントにおいて、
上記ミキシング装置内に、水で希釈された添加剤を供給する添加剤供給装置を備えることを特徴とする移動式バッチャープラント。
【請求項１３】
請求項１に記載の移動式バッチャープラントにおいて、
上記制御装置は、製造するものの種類及び量に応じて上記粉体貯蔵装置、骨材貯蔵装置、水貯蔵装置、ミキシング装置、粉体搬送装置、骨材搬送装置及び水供給装置の制御に関する制御データを有することを特徴とする移動式バッチャープラント。
【請求項１４】
請求項１に記載の移動式バッチャープラントにおいて、
超速硬コンクリート、繊維補強コンクリート、普通コンクリート、モルタル又はグラウトを製造する移動式バッチャープラント。
【請求項１５】
請求項１に記載の移動式バッチャープラントにおいて、
上記支持構造が搭載される車両は、中型トラックであることを特徴とする移動式バッチャープラント。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
予め配合された粉体材料を貯蔵する粉体貯蔵装置と、
骨材を貯蔵する骨材貯蔵装置と、
水を貯蔵する水貯蔵装置と、
上記粉体材料と骨材と水を混合するミキシング装置と、
上記粉体貯蔵装置からミキシング装置へ粉体材料を搬送する粉体搬送装置と、
上記骨材貯蔵装置からミキシング装置へ骨材を搬送する骨材搬送装置と、
上記水貯蔵装置からミキシング装置へ水を供給する水供給装置と、
上記粉体貯蔵装置、骨材貯蔵装置、水貯蔵装置、ミキシング装置、粉体搬送装置、骨材搬送装置及び水供給装置の動作を制御する制御装置と、
上記粉体貯蔵装置、骨材貯蔵装置、水貯蔵装置、ミキシング装置、粉体搬送装置、骨材搬送装置、水供給装置及び制御装置のうちの少なくとも１つを支持し、車両に搭載可能に形成された支持構造と、
上記粉体貯蔵装置、骨材貯蔵装置、水貯蔵装置、ミキシング装置、粉体搬送装置、骨材搬送装置、水供給装置、制御装置及び支持構造のうちの少なくとも１つから発生する騒音を低減する騒音低減機構とを備え、
上記ミキシング装置は、概ね円筒形状の混合槽と、この混合槽内で回転駆動されるブレードを有し、
上記ブレードに設けられ、可撓性材料で形成されて上記混合槽の底面及び内側面に常に接触して摺動する摺動部材により、上記騒音低減機構が構成されており、
且つ上記ミキシング装置は、上記混合槽内に配置され、下端縁が混合槽の底面に接触した状態で、混合槽の中心軸を公転中心として遊星回転駆動される複数の底面ブレードと、側縁が混合槽の内側面に接触した状態で、混合槽の中心軸回りに回転駆動される側面ブレードとを有し、
且つ上記ミキシング装置は、上記複数の底面ブレードが下端に取り付けられた複数の第１支持棒と、この第１支持棒の上端に連結された連結部材と、この連結部材が公転回転軸を介して一端に連結されると共に、他端が混合槽の蓋の中心に設けられた回転軸に連結されて回転軸の回転力を公転回転軸へ伝達する遊星歯車機構が設けられた第１回転アームと、この第１回転アームから延在すると共に、上記側面ブレードが固定された第２支持棒に先端が連結された第２回転アームとを有する
ことを特徴とする移動式バッチャープラント。
【請求項２】
請求項１に記載の移動式バッチャープラントにおいて、
上記底面ブレードは、上記混合槽の底面に接触して摺動する摺動部材である第１攪拌摺動体を、第１挟持金具及び第２挟持金具で挟んで保持して構成され、
上記第１攪拌摺動体は、長穴で形成されたガイド穴を有すると共に、このガイド穴内に、ボルト穴を有する介在金具が相対移動可能に挿入され、
上記第１挟持金具は、長穴で形成されたガイド穴を有し、
上記第２挟持金具は、ボルトが挿通されるボルト穴を有し、
上記第１挟持金具のガイド穴と、上記介在金具のボルト穴と、上記第２挟持金具のボルト穴と、上記第１支持棒に設けられたボルト穴とに挿通されたボルトにより、上記第１攪拌摺動体と第１挟持金具が、上記混合槽の底面との間の距離が調節可能に上記第１支持棒に固定されていることを特徴とする移動式バッチャープラント。
【請求項３】
請求項１に記載の移動式バッチャープラントにおいて、
上記側面ブレードは、上記混合槽の内側面に接触して摺動する摺動部材である第２攪拌摺動体を、第１挟持金具と第２挟持金具で挟んで保持して構成され、
上記第２攪拌摺動体は、縦長の大きな矩形の下端部の側縁に、一方の側へ突出した小さな矩形を連ねたような形状を有し、
上記第１挟持金具は、縦長の大きな矩形の下端部の側縁に、一方の側へ突出した小さな矩形を連ねたような形状を有し、かつ、上部と下部に、上記第２支持棒の幅方向に延在する長穴で形成されたボルト穴が形成され、
上記第２挟持金具は、縦長の大きな矩形の下端部の側縁に、一方の側へ突出した小さな矩形を連ねたような形状を有し、かつ、上部と下部に、上記第２支持棒の幅方向に延在する長穴で形成されたボルト穴が形成され、
上記第１挟持金具のボルト穴と、上記第２挟持金具のボルト穴と、上記第２支持棒に設けられたボルト穴に挿通されたボルトにより、上記第１挟持金具及び第２挟持金具の上記第２支持棒３２の幅方向の位置が調節可能、かつ、上記第２攪拌摺動体と上記混合槽の内側面及び底面との間の距離が調節可能に上記第２支持棒に固定されていることを特徴とする移動式バッチャープラント。
【請求項４】
請求項１に記載の移動式バッチャープラントにおいて、
上記ミキシング装置は、上記混合槽内に投入された材料の質量を測定するロードセルと、上記混合槽の姿勢を保持する姿勢保持装置を有することを特徴とする移動式バッチャープラント。
【請求項５】
請求項１に記載の移動式バッチャープラントにおいて、
上記ミキシング装置に上記粉体搬送装置で粉体材料を搬送すると共に上記水供給装置で水を供給し、このミキシング装置で粉体材料と水を混合して混合体を形成する先練工程と、
上記先練工程の後に上記骨材搬送装置で骨材を搬送し、上記混合体に骨材を追加する骨材追加工程と、
上記骨材追加工程で骨材が混合された混合体を混合する骨材混合工程と
を実行する制御装置により上記騒音低減機構が構成されていることを特徴とする移動式バッチャープラント。
【請求項６】
請求項１に記載の移動式バッチャープラントにおいて、
上記ミキシング装置は、上記混合槽内に投入された材料を、この材料の種類と配合に応じた所定の回転数で所定の回転時間だけ混合する混合運転と、この混合運転が終了した後に上記回転数よりも少ない回転数で混合するアジテート運転とを行うことを特徴とする移動式バッチャープラント。
【請求項７】
請求項１に記載の移動式バッチャープラントにおいて、
上記支持構造に立設され、少なくとも上記ミキシング装置の側面に設置された騒音低減壁により、上記騒音低減機構が構成されていることを特徴とする移動式バッチャープラント。
【請求項８】
請求項１に記載の移動式バッチャープラントにおいて、
矩形状の上記支持構造の各辺に立設された側面材と、この側面材の上端を塞ぐように設置された天井材とを有するコンテナ体により、上記騒音低減機構が構成されていることを特徴とする移動式バッチャープラント。
【請求項９】
請求項１に記載の移動式バッチャープラントにおいて、
上記粉体貯蔵装置が、上記粉体材料が袋体に梱包されてなる梱包体を受容し、上記粉体材料を貯蔵するように形成されていることを特徴とする移動式バッチャープラント。
【請求項１０】
請求項９に記載の移動式バッチャープラントにおいて、
上記粉体貯蔵装置が、上記梱包体を受容する梱包体受容部と、この梱包体受容部に受容される梱包体の袋体の底部に、上記粉体材料を取り出す取り出し口を形成する取り出し口形成部と、上記梱包体受容部に受容された梱包体を加振して上記粉体材料の排出を促進する加振部とを有することを特徴とする移動式バッチャープラント。
【請求項１１】
請求項１に記載の移動式バッチャープラントにおいて、
上記粉体搬送装置及び／又は骨材搬送装置の搬送対象の排出側に、開閉弁が設けられていることを特徴とする移動式バッチャープラント。
【請求項１２】
請求項１に記載の移動式バッチャープラントにおいて、
上記ミキシング装置内に繊維補強材を投入する繊維補強材投入装置を備えることを特徴とする移動式バッチャープラント。
【請求項１３】
請求項１２に記載の移動式バッチャープラントにおいて、
上記繊維補強材投入装置が、上記支持構造上に立設された手摺に取り付けられており、
上記手摺の上記繊維補強材投入装置よりも先端側の部分の高さが、上記支持構造が車両に搭載されたときに高さ制限以下の高さとなるように、低減可能に形成されていることを特徴とする移動式バッチャープラント。
【請求項１４】
請求項１に記載の移動式バッチャープラントにおいて、
上記ミキシング装置内に、水で希釈された添加剤を供給する添加剤供給装置を備えることを特徴とする移動式バッチャープラント。
【請求項１５】
請求項１に記載の移動式バッチャープラントにおいて、
上記制御装置は、製造するものの種類及び量に応じて上記粉体貯蔵装置、骨材貯蔵装置、水貯蔵装置、ミキシング装置、粉体搬送装置、骨材搬送装置及び水供給装置の制御に関する制御データを有することを特徴とする移動式バッチャープラント。
【請求項１６】
請求項１に記載の移動式バッチャープラントにおいて、
超速硬コンクリート、繊維補強コンクリート、普通コンクリート、モルタル又はグラウトを製造する移動式バッチャープラント。
【請求項１７】
請求項１に記載の移動式バッチャープラントにおいて、
上記支持構造が搭載される車両は、中型トラックであることを特徴とする移動式バッチャープラント。